(57)【要約】      （修正有）【課題】回収用整理紙袋の入れ口部を整形し強固なものにして、古新聞等を投入する時、入れ口部にひっかからないで投入できるようにする。また、回収用整理紙袋に古新聞が集積された後、傾けたり持ち上げたりせずに梱包できるようにする。【解決手段】回収用整理紙袋の外側を板材にて囲い補強箱を設置する。また、回収用整理紙袋の入れ口部４辺１９，２０を補強箱の上部４辺に固定できるように、コの字形型材２２，２３，２４，２５にて整形し強固なものにする。さらに、古新聞等を集積する前に、回収用整理紙袋と補強箱の間に先行して結束紐６，７を設置することにより、集積完了後、古新聞等の上部にて結束紐２本を結束するだけで、簡単に梱包できるようにする。【選択図】図７
2010247894.tif 000002
【特許請求の範囲】
【請求項１】
古新聞等を回収用整理紙袋に集積する時、整然と圧蜜に集積するために圧力を加えても、回収用整理紙袋が変形や破損をしないように、回収用整理紙袋の外側を板材にて補強した集積装置。
【請求項２】
古新聞等を回収用整理紙袋に投入する時、入れ口部に引っかからないように、コの字形型材にて回収用整理紙袋の入れ口部４辺を補強箱の上部４辺に固定できるようにした集積装置。
【請求項３】
回収用整理紙袋に古新聞が集積された後、結束紐にて結束する時、傾けたり持ち上げたりせず簡単に梱包できるように、補強箱と回収用整理紙袋の間に結束紐を先行設置できるようにした梱包装置。
【発明の詳細な説明】
【技術分野】
【０００１】  本発明は、古新聞等を集積し、結束する為の集積梱包装置に関する。
【背景技術】
【０００２】  従来、古新聞等を回収用整理紙袋に集積し、結束紐にて梱包した後、廃品回収に出していた。読み終わった古新聞等は、回収用整理紙袋の大きさに合わせ、八つ折にしてその都度投入していた。その為、大きさ、形状及び厚さにばらつきが生じ、整然と圧蜜に集積できなかった。整然と圧蜜に集積する為に圧力を加えると、回収用整理紙袋が変形したり破損していた。【０００３】  また、回収用整理紙袋の入れ口部は不整形で軟弱な為、古新聞等を投入する時、入れ口部にひっかかり投入しづらかった。【０００４】  さらに、回収用整理紙袋に古新聞が集積された後、結束紐にて結束するのであるが、傾けたり持ち上げたりして、梱包するのに手間取っていた。
【先行技術文献】
【特許文献】
【０００５】
【特許文献１】  特開平１７−１６２３２５号広報
【０００６】
【特許文献２】  特開平１５−１１８７１１号広報
【発明の概要】
【発明が解決しようとする課題】
【０００７】  古新聞等を回収用整理紙袋に集積する時、古新聞等の大きさ、形状及び厚さにばらつきが生じ、整然と圧蜜に集積できなかった。整然と圧蜜に集積する為に圧力を加えても、回収用整理紙袋が変形および破損しないようにする。【０００８】  回収用整理紙袋の入れ口部を整形し強固なものにして、古新聞等を投入する時、入れ口部にひっかからないで投入できるようにする。【０００９】  回収用整理紙袋に古新聞が集積された後、傾けたり持ち上げたりせずに梱包できるようにする。
【課題を解決するための手段】
【００１０】  回収用整理紙袋の外側を板材にて囲い補強箱を設置する。【００１１】  回収用整理紙袋の入れ口部４辺を補強箱の上部４辺に固定できるようにして、整形すると共に強固なものにする。【００１２】  古新聞等を集積する前に、回収用整理紙袋と補強箱の間に先行して結束紐を設置することにより、集積完了後古新聞等の上部にて、結束紐を２箇所結束するだけで梱包できるようにする。
【発明の効果】
【００１３】  古新聞等を集積する時、回収用整理紙袋を変形及び破損させることなく、整然と圧蜜に集積できるようになる。【００１４】  古新聞等を回収用整理紙袋に投入する時、入れ口に引っかからずに投入できる。【００１５】  古新聞等を回収用整理紙袋に集積完了後、傾けたり持ち上げたりせずに簡単に梱包できる。
【図面の簡単な説明】
【００１６】
【図１】  補強箱平面図
【図２】  補強箱断面図
【図３】  補強箱に結束紐を設置した姿図
【図４】  補強箱に回収用整理紙袋を設置した姿図
【図５】  回収用整理紙袋姿図
【図６】  回収用整理紙袋の入れ口部を９０度折り曲げた姿図
【図７】  コの字形補強型材を設置した姿図
【図８】  結束完了時の姿図
【図９】  梱包完成姿図
【図１０】  コの字形型材設置時の断面詳細図
【発明を実施するための形態】
【００１７】  以下、本発明の実施の形態を図１〜図１０に基づいて説明する。
【００１８】  回収用整理紙袋４側面Ａ〜Ｄと回収用整理紙袋底面Ｅを外側から囲む用に、補強側板▲１▼〜▲４▼と補強底板▲５▼にて補強箱を設置する。補強箱の深さは回収用整理紙袋側面高さより５ｃｍ程度浅くしておく。
【００１９】  結束紐▲６▼の両端を、古新聞等の集積完了後、上部にて結束できる程度補強箱の外側にたらし、中央部分を補強側板▲２▼上部中央から補強底板▲５▼上部中央を通り補強側板▲４▼上部中央へと、補強箱の内側を這わすように設置する。
【００２０】  上記の要領にて結束紐▲７▼の両端を補強箱の外側にたらし、中央部分を補強側板▲１▼上部中央から補強底板▲５▼上部中央を通り補強側板▲３▼上部中央へと、補強箱の内側を這わすように設置する。
【００２１】  回収用整理紙袋の上部４隅Ｆ〜Ｉに５ｃｍ程度切り込みを入れ、９０度外側へ折り曲げて回収用整理紙袋の入れ口部Ｊ〜Ｍを、結束紐を設置した補強箱の上部に乗せるように設置する。
【００２２】  コの字形の補強型材▲８▼〜▲１１▼を結束紐▲６▼〜▲７▼と回収用整理紙袋の入れ口部Ｊ〜Ｍを押さえるように補強側板▲１▼〜▲４▼の上部にはめ込む。
【００２３】  古新聞等を投入し集積完了後、コの字形型材を取り外した上、結束紐▲６▼〜▲７▼をそれぞれ古新聞等の上部にて結束して梱包終了となる。
【００２４】  結束紐部分を持ち、回収用整理紙袋ごと古新聞等を上に引き上げて取り出して完了となる。
【符号の説明】
【００２５】  １  補強側板▲１▼
２  補強側板▲２▼
３  補強側板▲３▼
４  補強側板▲４▼
５  補強底板▲５▼
６  結束紐▲６▼
７  結束紐▲７▼
８  回収用整理紙袋側面Ａ
９  回収用整理紙袋側面Ｂ
１０  回収用整理紙袋側面Ｃ
１１  回収用整理紙袋側面Ｄ
１２  回収用整理紙袋底面Ｅ
１３  回収用整理紙袋上部隅部Ｆ
１４  回収用整理紙袋上部隅部Ｇ
１６  回収用整理紙袋上部隅部Ｈ
１７  回収用整理紙袋上部隅部Ｉ
１８  回収用整理紙袋入れ口部Ｊ
１９  回収用整理紙袋入れ口部Ｋ
２０  回収用整理紙袋入れ口部Ｌ
２１  回収用整理紙袋入れ口部Ｍ
２２  コの字形補強型材▲８▼
２３  コの字形補強型材▲９▼
２４  コの字形補強型材▲１０▼
２５  コの字形補強型材▲１１▼
２６  補強側板
２７  結束紐設置スペース
２８  回収用整理紙袋
２９  回収用整理紙袋入れ口部
３０  コの字形補強型材
【図１】
2010247894.tif 000003
【図２】
2010247894.tif 000004
【図３】
2010247894.tif 000005
【図４】
2010247894.tif 000006
【図５】
2010247894.tif 000007
【図６】
2010247894.tif 000008
【図７】
2010247894.tif 000009
【図８】
2010247894.tif 000010
【図９】
2010247894.tif 000011
【図１０】
2010247894.tif 000012